(57)【要約】【課題】越流水の落下による滴下音の発生を少なくすることのできる可動トラップ式水洗便器を提供する。【解決手段】可動トラップ式水洗便器１は、トラップ部３０が、排水開口部３２の開口を上方に向けた状態で給水姿勢が保持されるようになっており、給水姿勢のときに排水開口部３２の開口の排出縁３２ａよりも低い位置となる部位に、トラップ部３０の内部から外部へ通じるバイパス口３６を有しており、便器本体１０の内部には、バイパス口３６から排出される排出水を下方へと誘導するバイパス流路５０が形成されている。【選択図】図１
2016108784.tif 000002
【特許請求の範囲】
【請求項１】
便器本体のボウルの排水路に後続して設けられ、一端の接続開口部が前記排水路に接続され、他端の排水開口部が排水可能に動作する筒状のトラップ部を有した可動トラップ式水洗便器において、
前記トラップ部は、前記排水開口部の開口を上方に向けた状態で給水姿勢が保持されるようになっており、該給水姿勢のときに該排水開口部の開口の排出縁よりも低い位置となる部位に、前記トラップ部の内部から外部へ通じるバイパス口を有しており、
前記便器本体の内部には、前記バイパス口から排出される排出水を下方へと誘導するバイパス流路が形成されていることを特徴とする可動トラップ式水洗便器。
【請求項２】
請求項１において、
前記便器本体は、前記トラップ部の前記排水開口部から排出された排出水を外部へと誘導する排出路を有しており、
前記バイパス流路は、その出口から排出される排出水が前記排出路へ向かうように配設されている、可動トラップ式水洗装置。
【請求項３】
請求項１または２において、
前記バイパス流路は、前記トラップ部の外側面に沿って、前記排水開口部側より前記接続開口部側へと延びている、可動トラップ式水洗装置。
【請求項４】
請求項１〜３のいずれか１項において、
前記バイパス流路は、その出口から排出された排出水が、前記トラップ部の外周面を伝って下方に滴下するように配されている、可動トラップ式水洗装置。
【発明の詳細な説明】
【技術分野】
【０００１】
本発明は、トラップ部が動作して排水する構成となっている可動トラップ式水洗便器に関する。
【背景技術】
【０００２】
この種の可動トラップ式水洗便器として、便器本体のボウルの排水路に後続して設けられたトラップ収納室に、ボウルの排水路に接続され、排水開口部が上下回動されるようにしたトラップ部が収納された構成のものがある（たとえば、特許文献１参照）。
【０００３】
このような可動トラップ式水洗便器は、トラップ部の自由端である排水開口部が上向き状態（給水姿勢）にあるときにボウルに洗浄水が溜められ、排水開口部が下向き状態（排水姿勢）にあるときに汚水などが排水開口部より排出されるようになっている。
【０００４】
トラップ部が排水姿勢のときに排水開口部より排出された汚水などの排出水は、トラップ収納室の内底部などに形成された排出路を通って外部排出口へと流れていくようになっている。
【０００５】
一方、トラップ部が給水姿勢のときには、排水開口部から多量の排水はないが、排水開口部の開口の下端位置にある排出縁からオーバーフローした水（越流水）が下方の排出路に落下する場合がある。排出路に水溜りがある場合に、その水溜りに越流水が落下すれば、は滴下音が生じることがあり、この音が使用者に漏水が発生したものと誤認させるおそれがあった。
【０００６】
このような滴下音の発生を防止するために、特許文献１などに示すような種々の方策が採られていた。特許文献１の技術は、トラップ部の排水開口部からの越流水を２方向に振り分けて小さな水滴にするものである。その他、開口の形状を変更して越流水をトラップ収納室の後壁に伝わせるようにした技術も提案されている。
【先行技術文献】
【特許文献】
【０００７】
【特許文献１】特開２００８−２６７００３号公報
【発明の概要】
【発明が解決しようとする課題】
【０００８】
しかしながら、上記従来の方策はいずれのものも、トラップ部の排水開口部からの越流水をなるべく音をさせないように下方に誘導するものであるため、トラップ収納室の形状・寸法などの設計変更に容易に対応できない場合がある。また、トラップ部の上下動の繰り返しによる停止位置の変動誤差にも対応できないおそれがある。つまり、設計変更などがあれば、音が発生しないような誘導ができない可能性がある。
【０００９】
このように、従来では、越流水が排水開口部からあふれ出るかぎり滴下音の発生を防止できない可能性があったため、給水姿勢のときに越流水が排水開口部からあふれ出ないようにする根本的な解決策が求められていた。
【００１０】
本発明は、このような事情を考慮して提案されたもので、その目的は、越流水の落下による滴下音の発生を少なくすることのできる可動トラップ式水洗便器を提供することにある。
【課題を解決するための手段】
【００１１】
上記目的を達成するために、本発明の可動トラップ式水洗便器は、便器本体のボウルの排水路に後続して設けられ、一端の接続開口部が前記排水路に接続され、他端の排水開口部が排水可能に動作する筒状のトラップ部を有した可動トラップ式水洗便器において、トラップ部は、排水開口部の開口を上方に向けた状態で給水姿勢が保持されるようになっており、給水姿勢のときに排水開口部の開口の排出縁よりも低い位置となる部位に、トラップ部の内部から外部へ通じるバイパス口を有しており、便器本体の内部には、バイパス口から排出される排出水を下方へと誘導するバイパス流路が形成されていることを特徴とする。
【発明の効果】
【００１２】
本発明の可動トラップ式水洗便器によれば、上述の構成となっているため、越流水の落下による滴下音の発生を少なくすることができる。
【図面の簡単な説明】
【００１３】
【図１】本発明の一実施形態に係る可動トラップ式水洗便器の縦断面図である。
【図２】可動トラップ式水洗便器の要部模式縦断面図および一部拡大縦断面図である。
【図３】（ａ）（ｂ）は、本発明の他の２実施形態に係る可動トラップ式水洗便器の縦断面図である。
【発明を実施するための形態】
【００１４】
以下に、本発明の実施の形態について、添付図面をもとに説明する。まず、以下の複数の実施形態に係る可動トラップ式水洗便器１（以下、水洗便器１という）の基本構成について説明する。
【００１５】
図１、図２および図３（ａ）（ｂ）に示した水洗便器１は、便器本体１０のボウル１１の排水路１２に後続して設けられ、一端の接続開口部３１が排水路１２に接続され、他端の排水開口部３２が排水可能に動作する筒状のトラップ部３０を有している。
【００１６】
トラップ部３０は、排水開口部３２の開口を上方に向けた状態で給水姿勢が保持されるようになっている。トラップ部３０は、この給水姿勢のときに排水開口部３２の開口の排出縁３２ａ（図２参照）よりも低い位置となる部位に、トラップ部３０の内部から外部へ通じるバイパス口３６を有している。便器本体１０の内部には、そのバイパス口３６（図２参照）から排出される排出水を下方へと誘導するバイパス流路５０が形成されている。
【００１７】
ついで、図１、図２に示した水洗便器１の構成および特徴事項について詳細に説明する。
【００１８】
本水洗便器１は、図１に示すように、壁３に埋設された上下方向に延びる外部排水管２に対して横向き排水する壁排水型の洋風便器である。この外部排水管２は、マンションなどで上層階と下層階とで共用できるようになっている。なお以下では、人が水洗便器１に腰かけたときの背側（図１における右側）を「後ろ」、胸側（図１における左側）を「前」として説明する。
【００１９】
水洗便器１の便器本体１０は床４に設置、固定されている。また、便器本体１０の上面には開閉自在な蓋６が取り付けられている。
【００２０】
便器本体１０内には、洗浄水や汚水を貯留するボウル１１が設けてある。ボウル１１の上部の内周囲には、ボウル１１内に洗浄水を供給するためのリム１３が形成してある。また、ボウル１１の下部には、外部排水管２の方向に向かう横向き管状の排水路１２が形成してある。
【００２１】
便器本体１０内には、排水路１２に後続するトラップ収納室２０が設けてある。このトラップ収納室２０内には、ボウル１１の排水路１２に接続された可撓性のトラップ部３０が設けてある。トラップ部３０としては、図１に示すように、たとえば蛇腹状のホースで形成されたものを使用することができる。このトラップ収納室２０は、トラップ部３０を取り囲み、トラップ部３０から排出される排出水を内底部２１で受け止めて外部へ排出する構成となっているため、外部へのにおいの拡散も防止する役割も担っている。
【００２２】
トラップ部３０は、トラップ収納室２０内において、ボウル１１の排水路１２に接続された接続開口部３１側を支点として、自由端である排水開口部３２が上向きとなる給水姿勢と、やや下方横向きとなる排水姿勢との間で上下回動されるように配されている。なお、図１には、給水姿勢のときのトラップ部３０を実線で図示し、排水姿勢のときのトラップ部３０を２点鎖線で図示した。
【００２３】
図１に示すように、トラップ部３０の排水開口部３２の外周には支持リング３３が嵌め込まれている。この支持リング３３が、トラップ収納室２０の側壁部で回動自在に支持した回動軸３４のアーム３５に連結されている。そのアーム３５の回動動作にともない、支持リング３３が取り付けられたトラップ部３０の排水開口部３２が上下に回動されるようになっている。
【００２４】
このようなトラップ部３０の動作は、回動軸３４を電動モータ４１で駆動することによりなされる。また、ボウル１１のリム１３に洗浄水を供給する配管に電磁弁４２が設けてある。電動モータ４１および電磁弁４２は制御装置４３によって制御される。
【００２５】
このように電動モータ４１などを含んで構成された駆動機構は、つぎのような動作をなす。すなわち、用便後に洗浄操作がなされた時には、電磁弁４２が開弁されてリム１３からボウル１１内に洗浄水が供給され、その後に電動モータ４１が正転されてトラップ部３０が排水姿勢に下回動される。また、洗浄操作の所定時間後に、電動モータ４１が逆転されてトラップ部３０が給水姿勢に上回動され、その後に電磁弁４２が閉弁してリム１３からボウル１１内への洗浄水の供給が停止される。
【００２６】
トラップ部３０が上位置（給水姿勢）にあるときには封水状態となり、図１の破線で示すように、トラップ部３０内にも、ボウル１１内とほぼ同レベルの水位Ｈ１となるように洗浄水が貯留される。
【００２７】
このトラップ部３０には、上述したようにバイパス口３６（図２参照）が形成されている。このバイパス口３６は、排水開口部３２の開口の排出縁３２ａ（図２参照）、つまり給水姿勢時の排水開口部３２の開口の下端縁よりも低い位置に形成されている。このバイパス口３６には、チューブよりなるバイパス流路５０が接続されている。このバイパス流路５０の詳細については後述する。なお、図１等に２点鎖線で示したレベルＨ２は排出縁３２ａの高さレベルである。
【００２８】
トラップ収納室２０内には、前壁部２６と、後壁部と、両側壁部と、底部（内底部２１）と、天井部とより囲まれた、トラップ部３０を収納するための空間が形成されている。また、前壁部２６の下部には開口２４（図２参照）が設けてある。その開口２４を介して、トラップ収納室２０に収納されたトラップ部３０の一端（接続開口部３１）がボウル１１の排水路１２に接続されている。また、後壁部の下部には、外部排水管２に通じる外部排出口２５が開設してある。
【００２９】
前壁部２６から外部排出口２５までの内底部２１の表面部は、トラップ部３０から排出される排出水を外部へと誘導する排出路２３を構成している。その排出路２３は下流側が一段低くなった段差形状とされ、図２に示すように、段差壁２２を介して、前方には前方排出路２３ａ、後方には後方排出路２３ｂが形成してある。この後方排出路２３ｂが外部排出口２５へと通じている。
【００３０】
トラップ部３０が排水姿勢となっているとき、つまり自由端である排水開口部３２が下位置にあるときには、その排水開口部３２は後方排出路２３ｂの路面に接触または近接した状態にあり、その開口は下方を向く。排水姿勢においては、トラップ部３０はこのような状態になり、排水開口部３２からは汚水や洗浄水が排出路２３へと排出される。
【００３１】
そして、トラップ部３０より排出された排出水は、後方排出路２３ｂの傾斜面を伝い外部排出口２５を通って外部排水管２へとスムーズに排水される。本実施形態では特に、トラップ部３０が下回動されたときに、段差壁２２よりも下流側に位置する後方排出路２３ｂに排水開口部３２が落ち込むことで排水開口部３２の開口がより下方を向くため、排出水が排水開口部３２より流れやすくなっている。
【００３２】
ついで、図１および図２を参照しながら、本実施形態におけるバイパス流路５０の構成について説明する。
【００３３】
上述したように、バイパス流路５０はトラップ部３０のバイパス口３６に接続されている。図２の拡大図に示すように、チューブよりなるバイパス流路５０の一端（流入口５１）がバイパス口３６に接続されている。バイパス口３６に接続されたバイパス流路５０は、トラップ部３０の外側面に沿って、排水開口部３２側より接続開口部３１側へと延びている。なお、トラップ部３０の蛇腹の伸縮に応じて出口３２の位置が変動しないように、バイパス流路５０も伸縮自在にしてもよい。
【００３４】
トラップ部３０が給水姿勢になったときにボウル１１内に供給される洗浄水は、水位Ｈ１がバイパス口３６の高さレベルとなるように水量が設定されている。洗浄水の供給の際にはわずかにオーバーフローして越流水８が発生するが、この越流水８はバイパス口３６より排出されるようになっている。
【００３５】
この排出水は、図２に示すように、バイパス流路５０を通って、トラップ部３０の接続開口部３１（回動支点）方向へと流れ、バイパス流路５０の出口５２から排出される。出口５２から排出された排出水は排出路２３の前方排出路２３ａに落下して合流し、前方排出路２３ａ、後方排出路２３ｂを通って下流の外部排出口２５へ流れる。
【００３６】
このように、この水洗便器１は、バイパス口３６、バイパス流路５０が設けてあるので、越流水８を、水溜りのほとんどできない箇所である前方排出路２３ａに誘導することができる。また、給水姿勢のときの水位Ｈ１は、排水開口部３２の開口の排出縁３２ａのレベルＨ２よりも低い位置であるため、排水開口部３２からの越流水８は給水の勢いが強すぎない限り発生しない。
【００３７】
このようして、越流水８の落下による滴下音の発生を少なくすることができる。また、バイパス流路５０の出口５２から排出される排出水が排出路２３へ向かうように配設されているので、越流水８を排水姿勢のときに排出される排出水の流路に合流させることができ、スムーズに排水することができる。
【００３８】
さらに、本実施形態に示したバイパス流路は、トラップ部の外側面に沿って、排水開口部３２側より接続開口部３１側へと延びるように配されているため、給水姿勢のトラップ部の勾配により、越流水８を水溜りのほとんどできない箇所に誘導することができる。
【００３９】
また、越流水８の落下により滴下音を発生させないためには、バイパス流路５０を、図３（ａ）（ｂ）に示したように形成、配置してもよい。
【００４０】
図３（ａ）のバイパス流路５０は、図１のものと同様にトラップ部３０の上端に沿って配されているが、図１のものより短く、その出口５２がトラップ部３０の中央の蛇腹部分に位置するように配されている。バイパス口３６から排出される越流水８は、バイパス流路５０の出口５２から排出され、その排出水はトラップ部３０の外周面（蛇腹部分）を伝って落下するようになっている。
【００４１】
このように、越流水８をトラップ部３０の外面を伝わせるようにすれば、排出路２３までの落下距離を短くできる。そのように低い位置からの落下であるため、前方排出路２３に水溜りができていて、排出水が水溜りに落下したとしても、外部に響くような滴下音は発生しない。また、バイパス流路５０を短くできるので、バイパス流路５０はトラップ部３０の上下回動のじゃまにならず、回動によりずれも生じにくい。また、バイパス流路５０を硬質な素材で形成することもできる。
【００４２】
また、図３（ｂ）のバイパス流路５０は、その出口５２からの排出水が前方排出路２３に合流するよう下方に垂らしてある。このものも、排出路２３までの落下距離を短くできるため、排出水が排出路２３の水溜りに落ちても外部に響くような滴下音は発生し得ない。なお、このバイパス流路５０はトラップ部３０の上下回動にも耐えられるように、軟質な素材で形成されることが望ましい。
【００４３】
このように、バイパス流路５０はその出口５２を排出路２３の表面に近づけるように配すれば滴下音が発生する可能性は低い。出口５２を低い位置に配するようにすれば、バイパス流路５０を水溜りができやすい後方排出路２３ｂに合流させるようにしてもよい。また、出口５２をトラップ収納室２０の壁面に接触させて、排出水を壁面から伝い落ちさせるようにしてもよい。
【００４４】
以上の種々の実施形態では、バイパス流路５０をチューブで構成した例を示したが、特に軟質な素材よりなるチューブであれば、出口５２を、滴下音が発生しないような位置を選択して配することができ、種々の形状、寸法の水洗便器に適用させることができる。
【００４５】
また、バイパス流路５０が凹溝体で構成されたものとしてもよい。たとえば、図１、図２に示したチューブよりなるバイパス流路５０を凹溝体に替えてもよい。なお、チューブや凹溝体を設けずに、トラップ部３０のバイパス口３６から直接外部に排出させるようにし、その排出水をトラップ部３０の外面を伝って落下させるようにしてもよい。つまり、トラップ部３０の外面をバイパス流路５０としてもよい。
【００４６】
また、バイパス流路５０が排出路２３に合流しない構成としてもよい。たとえば、バイパス流路５０の出口５２を直接、外部排水管２につなぐようにしてもよい。
【００４７】
以上の実施形態では壁排水型の水洗便器１を例示したが、床排出型の洋風便器にも適用が可能である。
【符号の説明】
【００４８】
１          水洗便器（可動トラップ式水洗便器）
２          外部排水管（外部）
１０        便器本体
１１        ボウル
１２      排水路
２３      排出路
３０      トラップ部
３１      接続開口部
３２      排水開口部
３２ａ    排出縁
３６      バイパス口
５０      バイパス流路
５２      出口
【図１】
2016108784.tif 000003
【図２】
2016108784.tif 000004
【図３】
2016108784.tif 000005